(57)【要約】暖房装置（１０）は、基部部材（７０）と、基部部材（７０）の中または上に取り付けられたガスバーナー（１１０）と、を備える。基部部材（７０）の上方に配置された上部筐体（５０）と、上部筐体（５０）の上方に取り付けられたテーブルトップ（２０）と、が設けられている。基部部材（７０）上またはその近傍に位置する近位端と、上部筐体（５０）内に位置する遠位端と、を有する空洞の遮熱体（１００）と、基部部材（７０）と上部筐体（５０）またはテーブルトップ（２０）との間に延在する支持部材（６０）と、が設けられている。遮熱体（１００）の遠位端は、上部筐体（５０）の近位端を越えて延在し、遮熱体（１００）と上部筐体（５０）との間の鉛直方向の重複領域を画定する。【選択図】図５
2021528621.tif 000002
【特許請求の範囲】
【請求項１】
基部部材と、
前記基部部材の中または上に取り付けられたガスバーナーと、
前記基部部材の上方に配置された上部筐体と、
前記上部筐体の上方に取り付けられたテーブルトップと、
前記基部部材上または近傍に位置する近位端と、前記上部筐体内に位置する遠位端と、を有する空洞の遮熱体と、
前記基部部材と前記上部筐体またはテーブルトップとの間に延在する少なくとも１つの支持部材と、
を備え、
前記遮熱体の前記遠位端は、前記上部筐体の近位端を越えて延在し、前記遮熱体と前記上部筐体との間に鉛直方向の重複領域を画定する、
暖房装置。
【請求項２】
前記遮熱体は、前記基部部材に位置する近位端と前記上部筐体に隣接する遠位端との間で断面積が小さくなる先細り形状を有する、
請求項１に記載の暖房装置。
【請求項３】
前記遮熱体は、切頭端部が開口している切頭角錐または円錐によって画定されている、
請求項２に記載の暖房装置。
【請求項４】
前記切頭端部は、前記テーブルトップの下面に隣接してその下に配置され、間隙によって分離されている、
請求項３に記載の暖房装置。
【請求項５】
前記遮熱体は、直円筒管である、
請求項１に記載の暖房装置。
【請求項６】
前記基部部材は、前記遮熱体内にある中央空隙と流体連通する空気流ポートを含む、
請求項２から５のいずれか一項に記載の暖房装置。
【請求項７】
垂直に延在するブレードが、前記暖房装置の周りに取り付けられ、前記基部部材と前記上部筐体またはテーブルトップとの間に延在する、
先の請求項のいずれか一項に記載の暖房装置。
【請求項８】
前記ブレードは、それぞれ半径方向に延在する、
請求項７に記載の暖房装置。
【請求項９】
前記テーブルトップは、エアスペースによって分離された上側および下側の強化ガラスシートによって画定されている、
先の請求項のいずれか一項に記載の暖房装置。
【請求項１０】
前記上側強化ガラスシートは、前記上部筐体に連結された環状鋼ディスク上に据え付けられる、
請求項９に記載の暖房装置。
【請求項１１】
前記上部筐体の内壁は、断熱材で遮蔽されている、
請求項９または１０に記載の暖房装置。
【請求項１２】
ガラスディスクが、前記テーブルトップの下の前記上部筐体の遠位端に据え付けられている、
先の請求項のいずれか一項に記載の暖房装置。
【請求項１３】
前記基部部材と前記上部筐体との間の前記暖房装置の支持部の内側の中央空隙が、前記ブレードの間から見える、
請求項８に記載の暖房装置。
【請求項１４】
フットレストが、前記基部部材の周囲に設けられている、
先の請求項のいずれか一項に記載の暖房装置。
【請求項１５】
前記遮熱体の前記遠位端と前記上部筐体の内壁との間には、ほぼ環状の間隙が画定されている、
先の請求項のいずれか一項に記載の暖房装置。
【請求項１６】
前記遮熱体の前記遠位端は、１以上の弾性部材を用いて前記上部筐体に取り付けられている、
先の請求項のいずれか一項に記載の暖房装置。
【請求項１７】
一次空気が、前記基部部材内に配置された空気流ポートを通って流入し、二次空気は、前記遮熱体の近位部の下に位置する間隙を通って流入する、
先の請求項のいずれか一項に記載の暖房装置。
【発明の詳細な説明】
【技術分野】
【０００１】
本発明は、暖房装置に関する。特に、本発明は、中庭、デッキ、バルコニー、庭園および他の開放空間などといった、オープンスペースで使用する暖房装置に関する。この装置は、酸素低下シャットオフ（ＯＤＳ：oxygen depletion shutoff）を使用する、大規模な商業的な非住宅室内エリアで使用することができる。暖房装置は、住宅および他の環境で使用されてもよいが、特にもてなしに利用される。
【背景技術】
【０００２】
屋外暖房装置は一般に、外気温が、利用客や他の利用者が長時間にわたり外部で快適な時間を過ごすのには向いていない、より寒い季節に、レストラン、カフェ、ならびに他の歓待の場で使用される。屋外ヒーターの使用は、局所的に温度を上昇させ、楽しみやすい状態を作り出し、利用客が、過度の不快感を経験することなく、屋外で長い時間を過ごせるようにする目的に役立つ。そのような屋外暖房装置を使用することは、より寒い季節の間に、いくつかの会場において、利用可能なフロア面積を増やすことを可能にし、したがって収益の増加が可能になる。
【０００３】
屋外または大規模なオープンスペースを効率的に暖房することは、大気への熱放散がすぐに起こってしまうため、特に、熱が素早く放散させられたり、ガス動力のバーナーが意図せず吹き消されたりする可能性のある強い風が吹く条件の下では、困難な作業となる可能性がある。
【０００４】
ガス燃焼自立型ヒーターは、屋外で一般的に使用されており、通常はプロパンを燃焼させる。この様式のヒーターは通常、一般的に立っている頭の高さより上のステムにある、突起したバーナーでガスを燃焼させる。このようなヒーターでは、ガスシリンダは一般的に、地面に近い、ユニットの基部に配置された筐体に格納される。バーナーの上方にある、ヒーターの上端には、下方に熱を反射する反射器がある。この様式のヒーターにはいくつか欠点がある。第一に、天井または日よけの下で使用される場合、反射器の上方に十分な間隔がない場合、ヒーターの上方の構造物に火災および熱損傷の危険性がある。
【０００５】
さらに、この様式のヒーターは、熱が容易に放散されるため、風のある条件の下ではパフォーマンスが悪いことが知られている。また、バッフルが極端に高温になる可能性があるヒーターのヘッドによって、利用客が火傷してしまう危険性もある。
【０００６】
近年、壁掛けおよび天吊り電気ストリップヒーターを使用する傾向がある。このようなストリップヒーターは、通常、壁または支持構造体に取り付けられ、利用客の上方から、熱を下方に向かわせるように構成されている。ストリップヒーターは、ストリップヒーターの上方に傘、日よけ、または他のそのような構造物が取り付けられている設備に最も適している。これは、熱は上昇するものであることから、上部の遮熱体がない開放状態に配置した場合、発生した熱の大部分がすぐに上方に失われてしまうためである。
【０００７】
電気ヒーターは一般に、ガス燃焼ヒーターと同量の熱出力を発生させることができず、また、そのため、発熱体当たりの加熱できる面積が比較的小さい。その代わりに、より多くの数の電気ヒーターを配備することができるが、そのような設備は設置および運転に費用がかかる可能性がある。
【０００８】
本発明の目的は、上記の欠点の１以上を実質的に克服または少なくとも改善すること、または有用な代替物を提供することである。
【発明の概要】
【０００９】
基部部材と、前記基部部材の中または上に取り付けられたガスバーナーと、前記基部部材の上方に配置された上部筐体と、前記上部筐体の上方に取り付けられたテーブルトップと、前記基部部材上または近傍に位置する近位端と、前記上部筐体内に位置する遠位端と、を有する空洞の遮熱体と、前記基部部材と前記上部筐体またはテーブルトップとの間に延在する少なくとも１つの支持部材と、を備え、前記遮熱体の前記遠位端は、前記上部筐体の近位端を越えて延在し、前記遮熱体と前記上部筐体との間に鉛直方向の重複領域を画定する、暖房装置。
【００１０】
前記遮熱体は、好ましくは、前記基部部材に位置する近位端と前記上部筐体に隣接する遠位端との間で断面積が小さくなる先細り形状を有する。
【００１１】
一実施形態では、前記遮熱体は、好ましくは、切頭端部が開口している切頭角錐または円錐によって画定される。
【００１２】
前記切頭端部は、好ましくは、前記テーブルトップの下面に隣接してその下に配置され、間隙によって分離される。
【００１３】
一実施形態では、前記遮熱体は、好ましくは、直円筒管である。
【００１４】
前記基部部材は、好ましくは、前記遮熱体内にある中央空隙と流体連通する空気流ポートを含む。
【００１５】
垂直に延在するブレードは、好ましくは、前記暖房装置の周りに取り付けられ、前記基部部材と前記上部筐体またはテーブルトップとの間に延在する。
【００１６】
前記ブレードは、好ましくは、それぞれ半径方向に延在する。
【００１７】
前記テーブルトップは、好ましくは、エアスペースによって分離された上側および下側の強化ガラスシートによって画定される。
【００１８】
前記上側強化ガラスシートは、好ましくは、前記上部筐体に連結された環状鋼ディスク上に据え付けられる。
【００１９】
前記上部筐体の内壁は、好ましくは、断熱材で遮蔽されている。
【００２０】
ガラスディスクが、好ましくは、前記テーブルトップの下の前記上部筐体の遠位端に据え付けられる。
【００２１】
前記基部部材と前記上部筐体との間の前記暖房装置の支持部の内側にある中央空隙が、前記ブレードの間から見えることが好ましい。
【００２２】
フットレストが、好ましくは、前記基部部材の周囲に配置される。
【００２３】
前記遮熱体の前記遠位端と前記上部筐体の内壁との間には、ほぼ環状の間隙が画定されることが好ましい。
【００２４】
前記遮熱体の前記遠位端は、好ましくは、１以上の弾性部材を用いて前記上部筐体に取り付けられる。
【００２５】
遮熱体は、ガラスから製造され、内燃室の側壁を画定することが好ましい。
【００２６】
代替の実施形態では、遮熱体の断面積が近位端と遠位端との間でほぼ一定となるように、遮熱体が直円筒の形状を有してもよい。
【００２７】
先細りまたは直円筒の実施形態のいずれにおいても、遮熱体は、好ましくは、内燃室と外側ブレードまたはメッシュとの間にヒートブレイクを提供する。
【００２８】
メッシュ、穴あきスクリーン、または他のそのような通気性および熱透過性のあるバリアを、基部部材と上部筐体との間に配置してもよい。
【００２９】
上側強化ガラスシートは、好ましくは、上部筐体に連結された環状鋼ディスク（または他の好適な材料）上に据え付けられる。例えば、環状ディスクは、強化ガラスまたはセラミックにより製造されていてもよい。
【００３０】
中央空隙は、好ましくは、基部部材と上部筐体との間の暖房装置の支持部の内側にあり、ブレードまたはメッシュの外層の間から見ることができる。
【００３１】
一次空気は、好ましくは、インジェクタニップルを通って流入する。このように、一次空気が、好ましくは、前記基部部材内に配置された空気流ポートを通って流入し、二次空気は、好ましくは、前記遮熱体の近位部の下にあるすき間を通って流入する。
【図面の簡単な説明】
【００３２】
以下、添付図面を参照して、本発明の好ましい実施形態を具体的な例として説明する。
【００３３】
【図１】暖房装置の側面断面図である。
【００３４】
【図２】図１の暖房装置の分解組立図である。
【００３５】
【図３】暖房装置の基部の側面詳細である。
【００３６】
【図４】暖房装置の基部の上部詳細である。
【００３７】
【図５】ブレードが部分的に取り外された状態の暖房装置の側面図である。
【００３８】
【図６】ブレードを含んだ状態の暖房装置の側面図である。
【発明を実施するための形態】
【００３９】
ポータブルテーブルまたはバーユニットの形態の二次機能を有する暖房装置１０が提供される。暖房装置１０は、利用者らが交流するためのテーブルトップを提供する上側テーブルトップ面２０を備える。このように、利用客らは、装置１０によって暖められている間に、共有された食事や飲み物のためにテーブルの周りに集まることができる。
【００４０】
装置１０は持ち運び可能ではなく、半永久的な備品設備であることが意図されているが、長期間の営業用に所望の場所に設置されるように設計されている。例えば、冬の間だけレストランやバーに設置することも、年間を通じて継続的に使用することもできる。
【００４１】
装置１０は、約６５０ｍｍのコーヒーテーブル高さから、約７５０ｍｍの典型的なテーブル高さ、そして立っている利用客を対象としたより高いバーモデルまでの範囲の、異なる高さで製造することができる。
【００４２】
装置１０は、円形のテーブルトップ面２０を用いて説明および描かれているが、代わりに、正方形のテーブルトップとして、または横長の台またはベンチの形態の細長いモデルとして提供されてもよいことが理解されるであろう。
【００４３】
図示の実施形態では、暖房装置１０の上側テーブルトップ面２０は、１０ｍｍの円形の強化ガラスシートによって画定される。上側テーブルトップ面２０は、好ましくは耐候性鋼または軟鋼、または何らかの他の適切で承認された材料から製造された環状鋼ディスク２５上に据え付けられる。
【００４４】
一実施形態では、上側テーブルトップ面２０は、石板、人工石材、または他の何らかの装飾材料によって画定されてもよい。
【００４５】
上側テーブルトップ面２０の下には、垂直に分離された下側テーブルトップ面３０があり、これも１０ｍｍの丸い強化ガラスシート、または別の適切な材料によって画定される。上側および下側のテーブルトップ面２０、３０は、環状鋼ディスク２５の下に位置する空隙によって分離されている。空隙により断熱効果が得られる。この空隙は、厚さ２０ｍｍ〜６０ｍｍの範囲が好ましく、４０ｍｍ〜５５ｍｍが最も好ましい。
【００４６】
空隙は、熱源からテーブルを熱的に隔離する。
【００４７】
上側および下側のテーブルトップ面２０、３０および環状ディスク２５は、上方から鋼ディスク２５を通して挿入されたネジを受け入れるように構成されたスペーサ５５を備える上部筐体５０上に据え付けられる。そして、ネジは、上部筐体５０にあるネジ穴と係合する。下側テーブルトップ面３０には、ネジを受け入れるための孔が形成されている。
【００４８】
断熱材４０は、環状鋼ディスク２５と下側テーブルトップ面３０との間の空隙内に配置することができる。断熱材４０は、上から見て環状ディスクの形状であり、中心孔を有するのが好ましい。断熱材４０の環状ディスクは、上側および下側のテーブルトップ面２０、３０の外周に、またはその近傍に延在する。
【００４９】
上側および下側のテーブルトップ面２０、３０は、一般的には略円筒形である、上部筐体５０に取り付けられている。上側および下側のテーブルトップ面２０、３０は、上部筐体５０を越えて半径方向に延在し、装置１０に座る利用者の脚部のための間隙を画定する。
【００５０】
上部筐体５０は、複数の支持部材６０によって支持されている。図面に描かれた実施形態において、支持部材６０は、鋼製ＳＨＳセクションによって画定される。しかしながら、支持部材６０に他の形状、例えば、ＲＨＳ、または円筒管、またはそれらの組み合わせを代替的に使用することができることが理解されるであろう。
【００５１】
支持部材６０それぞれの近位端は、使用時に地面に据え付けられる基部７０に取り付けられる。
【００５２】
基部７０は、上部筐体５０と同一または同様の径を持つ円筒形鋼ユニットから製造される。基部部材７０と上部筐体５０との間の暖房装置１０の側面に形成された少なくとも１つの横方向の開口があるため、空気は、隣り合った縦方向の支持部材６０の間から装置１０内の中央空隙に流入できる。
【００５３】
図２を参照すると、遮熱体またはバッフル１００は装置１０内にあり、基部部材７０上またはその近傍に近位端を有する。遮熱体７０は、加熱された空気および排気ガスを、上部筐体５０に向けて、上方に方向づけ、また横方向の風／微風によって炎が吹きとばされるのを防ぐ遮蔽物を提供する。そういうものであるから、遮熱体は、利用者が装置１０によって火傷を負う可能性を排除するか、または少なくとも著しく低減させる。
【００５４】
一次空気は、基部部材７０に形成された空気流ポート１３５を有するインジェクタニップルを通って流入する。二次空気は、支持台７２と遮熱体またはバッフル１００の近位基部との間にある間隙を通って流入する。
【００５５】
ガラスディスク６５が、筐体５０の最上部に配置されている。ディスク６５は、上側テーブルトップ面２０を通って上方に熱が放散するのを防止する、または少なくとも制限する。ガラスディスク６５は透明であり、利用客は、上側テーブルトップ面２０の上方から炎を見ることができる。ガラスディスク６５は、鋼フランジ６７上に据え付けられる。
【００５６】
一実施形態では、内部の炎を見るために、テーブルトップ内にレンズを配置してもよい。
【００５７】
断熱材の層５６は、上部筐体５０内に位置する。断熱材５６は、筐体５０の内壁を覆い、熱が筐体５０を通って半径方向外向きに放散されるのを防ぐ、または少なくとも抑制する。
【００５８】
装飾的外層７８は、遮熱体１００に隣接する、装置の半径方向の最外側の部分を画定する。装飾的外層７８は、メッシュスクリーン、穴あきスクリーン、複数の垂直ブレード８０（以下に説明する）、複数の水平バー、または少なくとも部分的に熱および空気不透過性である何らかの他の構成の形態で設けることができる。
【００５９】
装飾的外層７８には、例えば、ロゴ、企業ブランド、広告、または他の何らかの、顧客固有の図版を識別することができる模様の形態の開口部を適用することができる。
【００６０】
図示の実施形態では、複数の垂直ブレード８０は、支持部材６０と並行して、基部７０と上部筐体５０との間に延在する。ブレード８０それぞれの上縁は、上部筐体５０に溶接または他の方法で固定されたホルダ８２によって支持される。同様に、ブレード８０それぞれの下縁は、基部７０に溶接または他の方法で固定されたホルダ８４によって支持され、固定される。
【００６１】
ブレード８０それぞれまたは装飾的メッシュは、上部筐体５０および基部７０の円周の周りで半径方向外向きに延在している。ブレード８０は、外側方向に熱を放射できる物理的なシールドを提供するが、人が熱源に近づきすぎることを防止することで、怪我または遮熱体１００との接触の危険性を最小限にする。さらに、ブレード８０は、装置１０の近くに熱を閉じ込めるのを補助し、風または他の空気の擾乱による熱放散の影響を部分的に打ち消す。
【００６２】
ブレード８０またはメッシュは、圧縮された繊維セメント、コンクリート、木材、鋼、他の金属、ガラス、樹脂、または燃えたり構造的に弱まったりすることなく、周囲温度よりも著しく高い温度に耐えられる何らかの他の材料から製造されるのが好ましい。
【００６３】
図５を参照すると、遮熱体１００は、上部筐体５０と基部７０との間に位置する円筒形空間内に取り付けられている。図示の実施形態では、遮熱体１００は、中空多面体の形態であり、遮熱体１００の断面積が最上部において最小となるように、上方に延びるにつれて内方向に先細りする。図示の実施形態では、ガラス多面体１００は、好ましくは３〜１０個の側面、最も好ましくは８個の面を有する切頭角錐の形態を有する。しかし、他の実施形態では、遮熱体が、円錐台、または直円筒部材によって画定されてもよいことが理解されるであろう。
【００６４】
遮熱体は、単一または複数のピースの製造物であってもよい。二等分になるのが好ましいマルチピース製造物は、サービスおよびメンテナンス目的のための簡単な分離や取り外し、ならびに内部のバーナーへのアクセスを可能にする。
【００６５】
遮熱体１００は、最上部で開口している。遮熱体１００の筐体は、図５に描かれているように、最上部に配置された、上部筐体５０の内壁まで延びるバネ１０２によって保持されてもよい。バネ１０２は、遮熱体１００が意図せず動いたり、倒れたりするのを防ぐ補助をする。
【００６６】
バーナー１１０は、遮熱体１００内に配置される。バーナー１１０は、網目状の液体石油ガス（ＬＰＧ）のバーナーまたは天然ガスのバーナーであってもよい。バーナー１１０は、ステンレス鋼トレイ１２５上に据え付けられ、バーナーは網目状のガス源への接続を意図したものである。
【００６７】
間隙１１５は、遮熱体１００の上端と筐体５０の内壁との間に画定される。図示の好ましい実施形態では、間隙１１５の（上から見たときの）形状は、ほぼ環状である。さらに、バーナー１１０から最も離れた位置にある遮熱体１００の遠位端は、上部筐体の近位端部を越えて延在し、遮熱体１００と上部筐体５０との間の、鉛直方向の重複領域を画定し、遮熱体が上部筐体５０の下縁部の垂直方向上方に延在するようにする。
【００６８】
基部８０に、フットレスト１３０を取り付けてもよい。図面に示す実施形態では、フットレスト１３０は、直径の異なる、相互に連結された一対のリングによって画定される。しかしながら、代わりに単一のリングを使用してもよく、また、暖房装置１０に座る利用者の足を地面の上方に保持する目的に役立つ他の構成も考えられることが理解されるであろう。フットレストは、暖房装置１０のいくつかの実施形態から省略されてもよいことも理解されるであろう。
【００６９】
１以上の空気流ポート１３５が、基部７０に取り付けられている。空気流ポート１３５は、空気が暖房装置１０に流入し、バーナー１１０における燃焼プロセスに供給されることを可能にする。
【００７０】
次に、暖房装置１０の動作について説明する。装置１０は、基部７０内に配置された制御装置１２０によって電源をオンにされるか、あるいは、装置１０は、遠隔制御することができる。熱出力は、ガス流量バルブの調整によって、低、中、高などのさまざまな設定に手動で調整できる。制御装置１２０は、点火を開始するためのスタータを含んでもよい。あるいは、ガス流量バルブが開くと、スタータが自動的に作動してもよい。制御装置１２０は、電子イグニッションまたは遠隔制御の使用により自動化されてもよい。
【００７１】
暖房装置１０が始動されると、ガラス遮熱体１００の内側に位置するバーナー１１０で炎が燃える。炎は、ブレード８０または装飾的メッシュの間から暖房装置１０の側面を通して見ることができる。また、上側テーブルトップ面２０を通して炎を見ることができる。
【００７２】
周囲の空気は、空気流ポート１３５を通してインジェクタに吸い込まれ、遮熱体１００の下に設けられた隙間１３７を介して二次空気が吸い込まれる。
【００７３】
熱および排気ガスは、ガラスの遮熱体１００を通って上方に移動する。熱が、ガラスプリズム１００の最上部に到達すると、それは横方向に向かう。しかし、断熱材５６および上部筐体５０の本体が、熱が横方向に向かい続けるのを妨げ、環状間隙１１５が、加熱された空気が下方に出ることを可能にする。これは、上部筐体５０内に位置する遮熱体１００の遠位端が、上部筐体５０の近位端、最下端を越えて垂直方向に延在し、遮熱体１００と上部筐体５０との間に、環状間隙１１５の形態で、垂直方向に重複する領域を画定するために生じるものである。
【００７４】
装置１０の全周囲に延びる環状間隙１１５により、熱および排気ガスは、テーブルの周囲に均等に放散され、利用者に均等に熱が分配される。
【００７５】
そのように、加熱された空気および排気ガスは、テーブルトップによって上方向に向かい続けることができず、加熱された空気は、半径方向外向きに進み、上部筐体５０の近位端を通過できるようにするために、部分的に下向きの方向に装置から出なければならない。
【００７６】
有利には、遮蔽体１００が先細り形状であり、遠位端に向かって断面形状が小さくなっている実施形態では、先細り形状になっているために、加熱された空気が遮熱体１００を通して上向きに引き込まれ、その結果、暖房性能が向上する。
【００７７】
次いで、加熱された空気は、複数の垂直ブレード８０の間から、または装飾的外層７８の装飾的なメッシュスクリーンの開口から、装置１０を出る。加熱された空気の流れの向きは、図２の矢印によって模式的に描かれている。
【００７８】
加えて、熱は、対流および伝導によって、遮熱体１００の壁を通って伝達される。
【００７９】
したがって、加熱された空気の流れと対流／伝導との組み合わせは、テーブルトップの下で、利用者の脚部／その近くにおいて、顕著な熱出力をもたらす。
【００８０】
ブレード８０または装飾的外層７８は、装置１０の近傍に加熱された空気を閉じ込めるのを補助し、風または他の空気の擾乱による熱放散の影響を打ち消す。さらに、下側テーブルトップ面３０の下面は加熱された空気が上昇するのを防ぐバリアとして作用し、それによって熱放散を遅らせ、加熱された空気を、座ったまたは立った利用客の脚部またはその近くに保持する。
【００８１】
有利には、暖房装置１０は、バーナー１１０が基部に配置されているので、従来の室外ヒーターよりも高い熱出力を有する。
【００８２】
有利には、暖房装置１０は、改善された二酸化炭素の放散を提供する。
【００８３】
有利には、利用者が装置１０の近くに座ったり立ったりしているときに、加熱された空気および排気ガスが、ブレード８０の間または装飾的メッシュ層７８の開口を通して、利用者の脚の近くで装置１０から出る。これは、熱は上昇するものなので有益であり、特に無風の条件においては、熱が利用者の近くに長く留まりやすい。
【００８４】
暖房装置１０は、複数の調節可能な足部１４０を含む。足部１４０は、テーブルトップ２０を水平にするために使用することができる。さらに、調節可能な足部１４０を床に固定して暖房装置１０を隔離し、それが意図せず移動することを防止することができる。これにより、ガス供給ラインが損傷するのを防ぐ。
【００８５】
一実施形態では、暖房装置１０は、取り付けられた傘またはシェード装置を有してもよい。この傘は、太陽光線からの保護のために、あるいはバーナー１１０によって生成された熱を閉じ込めるために使用することができる。
【００８６】
本発明を特定の例を参照して説明してきたが、本発明は多くの他の形態で実施することができることが当業者には理解されよう。
【図１】
2021528621.tif 000003
【図２】
2021528621.tif 000004
【図３】
2021528621.tif 000005
【図４】
2021528621.tif 000006
【図５】
2021528621.tif 000007
【図６】
2021528621.tif 000008
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
基部部材と、
前記基部部材の中または上に取り付けられたガスバーナーと、
前記基部部材の上方に配置された上部筐体と、
前記上部筐体の上方に取り付けられたテーブルトップと、
前記基部部材上または近傍に位置する近位端と、前記上部筐体内に位置する遠位端と、を有する空洞の遮熱体と、
前記基部部材と前記上部筐体またはテーブルトップとの間に延在する少なくとも１つの支持部材と、
を備え、
前記遮熱体の前記遠位端は、前記上部筐体の近位端を越えて延在し、前記遮熱体と前記上部筐体との間に鉛直方向の重複領域を画定し、
前記遮熱体は、前記基部部材に位置する近位端と前記上部筐体に隣接する遠位端との間で断面積が小さくなる先細り形状を有する、
暖房装置。
【請求項２】
前記遮熱体は、切頭端部が開口している切頭角錐または円錐によって画定されている、
請求項１に記載の暖房装置。
【請求項３】
前記切頭端部は、前記テーブルトップの下面に隣接してその下に配置され、間隙によって分離されている、
請求項２に記載の暖房装置。
【請求項４】
前記遮熱体は、直円筒管である、
請求項１に記載の暖房装置。
【請求項５】
前記基部部材は、前記遮熱体内にある中央空隙と流体連通する空気流ポートを含む、
請求項１から４のいずれか一項に記載の暖房装置。
【請求項６】
垂直に延在するブレードが、前記暖房装置の周りに取り付けられ、前記基部部材と前記上部筐体またはテーブルトップとの間に延在する、
先の請求項のいずれか一項に記載の暖房装置。
【請求項７】
前記ブレードは、それぞれ半径方向に延在する、
請求項６に記載の暖房装置。
【請求項８】
前記テーブルトップは、エアスペースによって分離された上側および下側の強化ガラスシートによって画定されている、
先の請求項のいずれか一項に記載の暖房装置。
【請求項９】
前記上側強化ガラスシートは、前記上部筐体に連結された環状鋼ディスク上に据え付けられる、
請求項８に記載の暖房装置。
【請求項１０】
前記上部筐体の内壁は、断熱材で遮蔽されている、
請求項８または９に記載の暖房装置。
【請求項１１】
ガラスディスクが、前記テーブルトップの下の前記上部筐体の遠位端に据え付けられている、
先の請求項のいずれか一項に記載の暖房装置。
【請求項１２】
前記基部部材と前記上部筐体との間の前記暖房装置の支持部の内側の中央空隙が、前記ブレードの間から見える、
請求項７に記載の暖房装置。
【請求項１３】
フットレストが、前記基部部材の周囲に設けられている、
先の請求項のいずれか一項に記載の暖房装置。
【請求項１４】
前記遮熱体の前記遠位端と前記上部筐体の内壁との間には、ほぼ環状の間隙が画定されている、
先の請求項のいずれか一項に記載の暖房装置。
【請求項１５】
前記遮熱体の前記遠位端は、１以上の弾性部材を用いて前記上部筐体に取り付けられている、
先の請求項のいずれか一項に記載の暖房装置。
【請求項１６】
一次空気が、前記基部部材内に配置された空気流ポートを通って流入し、二次空気は、前記遮熱体の近位部の下に位置する間隙を通って流入する、
先の請求項のいずれか一項に記載の暖房装置。
【手続補正２】
【補正対象書類名】明細書
【補正対象項目名】全文
【補正方法】変更
【補正の内容】
【発明の詳細な説明】
【技術分野】
【０００１】
本発明は、暖房装置に関する。特に、本発明は、中庭、デッキ、バルコニー、庭園および他の開放空間などといった、オープンスペースで使用する暖房装置に関する。この装置は、酸素低下シャットオフ（ＯＤＳ：oxygen depletion shutoff）を使用する、大規模な商業的な非住宅室内エリアで使用することができる。暖房装置は、住宅および他の環境で使用されてもよいが、特にもてなしに利用される。
【背景技術】
【０００２】
屋外暖房装置は一般に、外気温が、利用客や他の利用者が長時間にわたり外部で快適な時間を過ごすのには向いていない、より寒い季節に、レストラン、カフェ、ならびに他の歓待の場で使用される。屋外ヒーターの使用は、局所的に温度を上昇させ、楽しみやすい状態を作り出し、利用客が、過度の不快感を経験することなく、屋外で長い時間を過ごせるようにする目的に役立つ。そのような屋外暖房装置を使用することは、より寒い季節の間に、いくつかの会場において、利用可能なフロア面積を増やすことを可能にし、したがって収益の増加が可能になる。
【０００３】
屋外または大規模なオープンスペースを効率的に暖房することは、大気への熱放散がすぐに起こってしまうため、特に、熱が素早く放散させられたり、ガス動力のバーナーが意図せず吹き消されたりする可能性のある強い風が吹く条件の下では、困難な作業となる可能性がある。
【０００４】
ガス燃焼自立型ヒーターは、屋外で一般的に使用されており、通常はプロパンを燃焼させる。この様式のヒーターは通常、一般的に立っている頭の高さより上のステムにある、突起したバーナーでガスを燃焼させる。このようなヒーターでは、ガスシリンダは一般的に、地面に近い、ユニットの基部に配置された筐体に格納される。バーナーの上方にある、ヒーターの上端には、下方に熱を反射する反射器がある。この様式のヒーターにはいくつか欠点がある。第一に、天井または日よけの下で使用される場合、反射器の上方に十分な間隔がない場合、ヒーターの上方の構造物に火災および熱損傷の危険性がある。
【０００５】
さらに、この様式のヒーターは、熱が容易に放散されるため、風のある条件の下ではパフォーマンスが悪いことが知られている。また、バッフルが極端に高温になる可能性があるヒーターのヘッドによって、利用客が火傷してしまう危険性もある。
【０００６】
近年、壁掛けおよび天吊り電気ストリップヒーターを使用する傾向がある。このようなストリップヒーターは、通常、壁または支持構造体に取り付けられ、利用客の上方から、熱を下方に向かわせるように構成されている。
【０００７】
ストリップヒーターは、ストリップヒーターの上方に傘、日よけ、または他のそのような構造物が取り付けられている設備に最も適している。これは、熱は上昇するものであることから、上部の遮熱体がない開放状態に配置した場合、発生した熱の大部分がすぐに上方に失われてしまうためである。
【０００８】
電気ヒーターは一般に、ガス燃焼ヒーターと同量の熱出力を発生させることができず、また、そのため、発熱体当たりの加熱できる面積が比較的小さい。その代わりに、より多くの数の電気ヒーターを配備することができるが、そのような設備は設置および運転に費用がかかる可能性がある。
【０００９】
本発明の目的は、上記の欠点の１以上を実質的に克服または少なくとも改善すること、または有用な代替物を提供することである。
【発明の概要】
【００１０】
基部部材と、前記基部部材の中または上に取り付けられたガスバーナーと、前記基部部材の上方に配置された上部筐体と、前記上部筐体の上方に取り付けられたテーブルトップと、前記基部部材上または近傍に位置する近位端と、前記上部筐体内に位置する遠位端と、を有する空洞の遮熱体と、前記基部部材と前記上部筐体またはテーブルトップとの間に延在する少なくとも１つの支持部材と、を備え、前記遮熱体の前記遠位端は、前記上部筐体の近位端を越えて延在し、前記遮熱体と前記上部筐体との間に鉛直方向の重複領域を画定し、前記遮熱体は、前記基部部材に位置する近位端と前記上部筐体に隣接する遠位端との間で断面積が小さくなる先細り形状を有する、暖房装置。
【００１１】
一実施形態では、前記遮熱体は、好ましくは、切頭端部が開口している切頭角錐または円錐によって画定される。
【００１２】
前記切頭端部は、好ましくは、前記テーブルトップの下面に隣接してその下に配置され、間隙によって分離される。
【００１３】
一実施形態では、前記遮熱体は、好ましくは、直円筒管である。
【００１４】
前記基部部材は、好ましくは、前記遮熱体内にある中央空隙と流体連通する空気流ポートを含む。
【００１５】
垂直に延在するブレードは、好ましくは、前記暖房装置の周りに取り付けられ、前記基部部材と前記上部筐体またはテーブルトップとの間に延在する。
【００１６】
前記ブレードは、好ましくは、それぞれ半径方向に延在する。
【００１７】
前記テーブルトップは、好ましくは、エアスペースによって分離された上側および下側の強化ガラスシートによって画定される。
【００１８】
前記上側強化ガラスシートは、好ましくは、前記上部筐体に連結された環状鋼ディスク上に据え付けられる。
【００１９】
前記上部筐体の内壁は、好ましくは、断熱材で遮蔽されている。
【００２０】
ガラスディスクが、好ましくは、前記テーブルトップの下の前記上部筐体の遠位端に据え付けられる。
【００２１】
前記基部部材と前記上部筐体との間の前記暖房装置の支持部の内側にある中央空隙が、前記ブレードの間から見えることが好ましい。
【００２２】
フットレストが、好ましくは、前記基部部材の周囲に配置される。
【００２３】
前記遮熱体の前記遠位端と前記上部筐体の内壁との間には、ほぼ環状の間隙が画定されることが好ましい。
【００２４】
前記遮熱体の前記遠位端は、好ましくは、１以上の弾性部材を用いて前記上部筐体に取り付けられる。
【００２５】
遮熱体は、ガラスから製造され、内燃室の側壁を画定することが好ましい。
【００２６】
代替の実施形態では、遮熱体の断面積が近位端と遠位端との間でほぼ一定となるように、遮熱体が直円筒の形状を有してもよい。
【００２７】
先細りまたは直円筒の実施形態のいずれにおいても、遮熱体は、好ましくは、内燃室と外側ブレードまたはメッシュとの間にヒートブレイクを提供する。
【００２８】
メッシュ、穴あきスクリーン、または他のそのような通気性および熱透過性のあるバリアを、基部部材と上部筐体との間に配置してもよい。
【００２９】
上側強化ガラスシートは、好ましくは、上部筐体に連結された環状鋼ディスク（または他の好適な材料）上に据え付けられる。例えば、環状ディスクは、強化ガラスまたはセラミックにより製造されていてもよい。
【００３０】
中央空隙は、好ましくは、基部部材と上部筐体との間の暖房装置の支持部の内側にあり、ブレードまたはメッシュの外層の間から見ることができる。
【００３１】
一次空気は、好ましくは、インジェクタニップルを通って流入する。このように、一次空気が、好ましくは、前記基部部材内に配置された空気流ポートを通って流入し、二次空気は、好ましくは、前記遮熱体の近位部の下にあるすき間を通って流入する。
【図面の簡単な説明】
【００３２】
以下、添付図面を参照して、本発明の好ましい実施形態を具体的な例として説明する。
【００３３】
【図１】暖房装置の側面断面図である。
【００３４】
【図２】図１の暖房装置の分解組立図である。
【００３５】
【図３】暖房装置の基部の側面詳細である。
【００３６】
【図４】暖房装置の基部の上部詳細である。
【００３７】
【図５】ブレードが部分的に取り外された状態の暖房装置の側面図である。
【００３８】
【図６】ブレードを含んだ状態の暖房装置の側面図である。
【発明を実施するための形態】
【００３９】
ポータブルテーブルまたはバーユニットの形態の二次機能を有する暖房装置１０が提供される。暖房装置１０は、利用者らが交流するためのテーブルトップを提供する上側テーブルトップ面２０を備える。このように、利用客らは、装置１０によって暖められている間に、共有された食事や飲み物のためにテーブルの周りに集まることができる。
【００４０】
装置１０は持ち運び可能ではなく、半永久的な備品設備であることが意図されているが、長期間の営業用に所望の場所に設置されるように設計されている。例えば、冬の間だけレストランやバーに設置することも、年間を通じて継続的に使用することもできる。
【００４１】
装置１０は、約６５０ｍｍのコーヒーテーブル高さから、約７５０ｍｍの典型的なテーブル高さ、そして立っている利用客を対象としたより高いバーモデルまでの範囲の、異なる高さで製造することができる。
【００４２】
装置１０は、円形のテーブルトップ面２０を用いて説明および描かれているが、代わりに、正方形のテーブルトップとして、または横長の台またはベンチの形態の細長いモデルとして提供されてもよいことが理解されるであろう。
【００４３】
図示の実施形態では、暖房装置１０の上側テーブルトップ面２０は、１０ｍｍの円形の強化ガラスシートによって画定される。上側テーブルトップ面２０は、好ましくは耐候性鋼または軟鋼、または何らかの他の適切で承認された材料から製造された環状鋼ディスク２５上に据え付けられる。
【００４４】
一実施形態では、上側テーブルトップ面２０は、石板、人工石材、または他の何らかの装飾材料によって画定されてもよい。
【００４５】
上側テーブルトップ面２０の下には、垂直に分離された下側テーブルトップ面３０があり、これも１０ｍｍの丸い強化ガラスシート、または別の適切な材料によって画定される。上側および下側のテーブルトップ面２０、３０は、環状鋼ディスク２５の下に位置する空隙によって分離されている。空隙により断熱効果が得られる。この空隙は、厚さ２０ｍｍ〜６０ｍｍの範囲が好ましく、４０ｍｍ〜５５ｍｍが最も好ましい。
【００４６】
空隙は、熱源からテーブルを熱的に隔離する。
【００４７】
上側および下側のテーブルトップ面２０、３０および環状ディスク２５は、上方から鋼ディスク２５を通して挿入されたネジを受け入れるように構成されたスペーサ５５を備える上部筐体５０上に据え付けられる。そして、ネジは、上部筐体５０にあるネジ穴と係合する。下側テーブルトップ面３０には、ネジを受け入れるための孔が形成されている。
【００４８】
断熱材４０は、環状鋼ディスク２５と下側テーブルトップ面３０との間の空隙内に配置することができる。断熱材４０は、上から見て環状ディスクの形状であり、中心孔を有するのが好ましい。断熱材４０の環状ディスクは、上側および下側のテーブルトップ面２０、３０の外周に、またはその近傍に延在する。
【００４９】
上側および下側のテーブルトップ面２０、３０は、一般的には略円筒形である、上部筐体５０に取り付けられている。上側および下側のテーブルトップ面２０、３０は、上部筐体５０を越えて半径方向に延在し、装置１０に座る利用者の脚部のための間隙を画定する。
【００５０】
上部筐体５０は、複数の支持部材６０によって支持されている。図面に描かれた実施形態において、支持部材６０は、鋼製ＳＨＳセクションによって画定される。しかしながら、支持部材６０に他の形状、例えば、ＲＨＳ、または円筒管、またはそれらの組み合わせを代替的に使用することができることが理解されるであろう。
【００５１】
支持部材６０それぞれの近位端は、使用時に地面に据え付けられる基部７０に取り付けられる。
【００５２】
基部７０は、上部筐体５０と同一または同様の径を持つ円筒形鋼ユニットから製造される。基部部材７０と上部筐体５０との間の暖房装置１０の側面に形成された少なくとも１つの横方向の開口があるため、空気は、隣り合った縦方向の支持部材６０の間から装置１０内の中央空隙に流入できる。
【００５３】
図２を参照すると、遮熱体またはバッフル１００は装置１０内にあり、基部部材７０上またはその近傍に近位端を有する。遮熱体７０は、加熱された空気および排気ガスを、上部筐体５０に向けて、上方に方向づけ、また横方向の風／微風によって炎が吹きとばされるのを防ぐ遮蔽物を提供する。そういうものであるから、遮熱体は、利用者が装置１０によって火傷を負う可能性を排除するか、または少なくとも著しく低減させる。
【００５４】
一次空気は、基部部材７０に形成された空気流ポート１３５を有するインジェクタニップルを通って流入する。二次空気は、支持台７２と遮熱体またはバッフル１００の近位基部との間にある間隙を通って流入する。
【００５５】
ガラスディスク６５が、筐体５０の最上部に配置されている。ディスク６５は、上側テーブルトップ面２０を通って上方に熱が放散するのを防止する、または少なくとも制限する。ガラスディスク６５は透明であり、利用客は、上側テーブルトップ面２０の上方から炎を見ることができる。ガラスディスク６５は、鋼フランジ６７上に据え付けられる。
【００５６】
一実施形態では、内部の炎を見るために、テーブルトップ内にレンズを配置してもよい。
【００５７】
断熱材の層５６は、上部筐体５０内に位置する。断熱材５６は、筐体５０の内壁を覆い、熱が筐体５０を通って半径方向外向きに放散されるのを防ぐ、または少なくとも抑制する。
【００５８】
装飾的外層７８は、遮熱体１００に隣接する、装置の半径方向の最外側の部分を画定する。装飾的外層７８は、メッシュスクリーン、穴あきスクリーン、複数の垂直ブレード８０（以下に説明する）、複数の水平バー、または少なくとも部分的に熱および空気不透過性である何らかの他の構成の形態で設けることができる。
【００５９】
装飾的外層７８には、例えば、ロゴ、企業ブランド、広告、または他の何らかの、顧客固有の図版を識別することができる模様の形態の開口部を適用することができる。
【００６０】
図示の実施形態では、複数の垂直ブレード８０は、支持部材６０と並行して、基部７０と上部筐体５０との間に延在する。ブレード８０それぞれの上縁は、上部筐体５０に溶接または他の方法で固定されたホルダ８２によって支持される。同様に、ブレード８０それぞれの下縁は、基部７０に溶接または他の方法で固定されたホルダ８４によって支持され、固定される。
【００６１】
ブレード８０それぞれまたは装飾的メッシュは、上部筐体５０および基部７０の円周の周りで半径方向外向きに延在している。ブレード８０は、外側方向に熱を放射できる物理的なシールドを提供するが、人が熱源に近づきすぎることを防止することで、怪我または遮熱体１００との接触の危険性を最小限にする。さらに、ブレード８０は、装置１０の近くに熱を閉じ込めるのを補助し、風または他の空気の擾乱による熱放散の影響を部分的に打ち消す。
【００６２】
ブレード８０またはメッシュは、圧縮された繊維セメント、コンクリート、木材、鋼、他の金属、ガラス、樹脂、または燃えたり構造的に弱まったりすることなく、周囲温度よりも著しく高い温度に耐えられる何らかの他の材料から製造されるのが好ましい。
【００６３】
図５を参照すると、遮熱体１００は、上部筐体５０と基部７０との間に位置する円筒形空間内に取り付けられている。図示の実施形態では、遮熱体１００は、中空多面体の形態であり、遮熱体１００の断面積が最上部において最小となるように、上方に延びるにつれて内方向に先細りする。図示の実施形態では、ガラス多面体１００は、好ましくは３〜１０個の側面、最も好ましくは８個の面を有する切頭角錐の形態を有する。しかし、他の実施形態では、遮熱体が、円錐台、または直円筒部材によって画定されてもよいことが理解されるであろう。
【００６４】
遮熱体は、単一または複数のピースの製造物であってもよい。二等分になるのが好ましいマルチピース製造物は、サービスおよびメンテナンス目的のための簡単な分離や取り外し、ならびに内部のバーナーへのアクセスを可能にする。
【００６５】
遮熱体１００は、最上部で開口している。遮熱体１００の筐体は、図５に描かれているように、最上部に配置された、上部筐体５０の内壁まで延びるバネ１０２によって保持されてもよい。バネ１０２は、遮熱体１００が意図せず動いたり、倒れたりするのを防ぐ補助をする。
【００６６】
バーナー１１０は、遮熱体１００内に配置される。バーナー１１０は、網目状の液体石油ガス（ＬＰＧ）のバーナーまたは天然ガスのバーナーであってもよい。バーナー１１０は、ステンレス鋼トレイ１２５上に据え付けられ、バーナーは網目状のガス源への接続を意図したものである。
【００６７】
間隙１１５は、遮熱体１００の上端と筐体５０の内壁との間に画定される。図示の好ましい実施形態では、間隙１１５の（上から見たときの）形状は、ほぼ環状である。さらに、バーナー１１０から最も離れた位置にある遮熱体１００の遠位端は、上部筐体の近位端部を越えて延在し、遮熱体１００と上部筐体５０との間の、鉛直方向の重複領域を画定し、遮熱体が上部筐体５０の下縁部の垂直方向上方に延在するようにする。
【００６８】
基部８０に、フットレスト１３０を取り付けてもよい。図面に示す実施形態では、フットレスト１３０は、直径の異なる、相互に連結された一対のリングによって画定される。しかしながら、代わりに単一のリングを使用してもよく、また、暖房装置１０に座る利用者の足を地面の上方に保持する目的に役立つ他の構成も考えられることが理解されるであろう。フットレストは、暖房装置１０のいくつかの実施形態から省略されてもよいことも理解されるであろう。
【００６９】
１以上の空気流ポート１３５が、基部７０に取り付けられている。空気流ポート１３５は、空気が暖房装置１０に流入し、バーナー１１０における燃焼プロセスに供給されることを可能にする。
【００７０】
次に、暖房装置１０の動作について説明する。装置１０は、基部７０内に配置された制御装置１２０によって電源をオンにされるか、あるいは、装置１０は、遠隔制御することができる。熱出力は、ガス流量バルブの調整によって、低、中、高などのさまざまな設定に手動で調整できる。制御装置１２０は、点火を開始するためのスタータを含んでもよい。あるいは、ガス流量バルブが開くと、スタータが自動的に作動してもよい。制御装置１２０は、電子イグニッションまたは遠隔制御の使用により自動化されてもよい。
【００７１】
暖房装置１０が始動されると、ガラス遮熱体１００の内側に位置するバーナー１１０で炎が燃える。炎は、ブレード８０または装飾的メッシュの間から暖房装置１０の側面を通して見ることができる。また、上側テーブルトップ面２０を通して炎を見ることができる。
【００７２】
周囲の空気は、空気流ポート１３５を通してインジェクタに吸い込まれ、遮熱体１００の下に設けられた隙間１３７を介して二次空気が吸い込まれる。
【００７３】
熱および排気ガスは、ガラスの遮熱体１００を通って上方に移動する。熱が、ガラスプリズム１００の最上部に到達すると、それは横方向に向かう。しかし、断熱材５６および上部筐体５０の本体が、熱が横方向に向かい続けるのを妨げ、環状間隙１１５が、加熱された空気が下方に出ることを可能にする。これは、上部筐体５０内に位置する遮熱体１００の遠位端が、上部筐体５０の近位端、最下端を越えて垂直方向に延在し、遮熱体１００と上部筐体５０との間に、環状間隙１１５の形態で、垂直方向に重複する領域を画定するために生じるものである。
【００７４】
装置１０の全周囲に延びる環状間隙１１５により、熱および排気ガスは、テーブルの周囲に均等に放散され、利用者に均等に熱が分配される。
【００７５】
そのように、加熱された空気および排気ガスは、テーブルトップによって上方向に向かい続けることができず、加熱された空気は、半径方向外向きに進み、上部筐体５０の近位端を通過できるようにするために、部分的に下向きの方向に装置から出なければならない。
【００７６】
有利には、遮蔽体１００が先細り形状であり、遠位端に向かって断面形状が小さくなっている実施形態では、先細り形状になっているために、加熱された空気が遮熱体１００を通して上向きに引き込まれ、その結果、暖房性能が向上する。
【００７７】
次いで、加熱された空気は、複数の垂直ブレード８０の間から、または装飾的外層７８の装飾的なメッシュスクリーンの開口から、装置１０を出る。加熱された空気の流れの向きは、図２の矢印によって模式的に描かれている。
【００７８】
加えて、熱は、対流および伝導によって、遮熱体１００の壁を通って伝達される。
【００７９】
したがって、加熱された空気の流れと対流／伝導との組み合わせは、テーブルトップの下で、利用者の脚部／その近くにおいて、顕著な熱出力をもたらす。
【００８０】
ブレード８０または装飾的外層７８は、装置１０の近傍に加熱された空気を閉じ込めるのを補助し、風または他の空気の擾乱による熱放散の影響を打ち消す。さらに、下側テーブルトップ面３０の下面は加熱された空気が上昇するのを防ぐバリアとして作用し、それによって熱放散を遅らせ、加熱された空気を、座ったまたは立った利用客の脚部またはその近くに保持する。
【００８１】
有利には、暖房装置１０は、バーナー１１０が基部に配置されているので、従来の室外ヒーターよりも高い熱出力を有する。
【００８２】
有利には、暖房装置１０は、改善された二酸化炭素の放散を提供する。
【００８３】
有利には、利用者が装置１０の近くに座ったり立ったりしているときに、加熱された空気および排気ガスが、ブレード８０の間または装飾的メッシュ層７８の開口を通して、利用者の脚の近くで装置１０から出る。これは、熱は上昇するものなので有益であり、特に無風の条件においては、熱が利用者の近くに長く留まりやすい。
【００８４】
暖房装置１０は、複数の調節可能な足部１４０を含む。足部１４０は、テーブルトップ２０を水平にするために使用することができる。さらに、調節可能な足部１４０を床に固定して暖房装置１０を隔離し、それが意図せず移動することを防止することができる。これにより、ガス供給ラインが損傷するのを防ぐ。
【００８５】
一実施形態では、暖房装置１０は、取り付けられた傘またはシェード装置を有してもよい。この傘は、太陽光線からの保護のために、あるいはバーナー１１０によって生成された熱を閉じ込めるために使用することができる。
【００８６】
本発明を特定の例を参照して説明してきたが、本発明は多くの他の形態で実施することができることが当業者には理解されよう。
【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
基部部材と、
前記基部部材の中または上に取り付けられたガスバーナーと、
前記基部部材の上方に配置された上部筐体と、
前記上部筐体の上方に取り付けられたテーブルトップと、
前記基部部材上または近傍に位置する近位端と、前記上部筐体内に位置する遠位端と、を有する空洞の遮熱体と、
前記基部部材と前記上部筐体またはテーブルトップとの間に延在する少なくとも１つの支持部材と、
を備え、
前記遮熱体の前記遠位端は、前記上部筐体の近位端を越えて延在し、前記遮熱体と前記上部筐体との間に鉛直方向の重複領域を画定し、
前記遮熱体は、前記基部部材に位置する近位端と前記上部筐体に隣接する遠位端との間で断面積が小さくなる先細り形状を有する、
暖房装置。
【請求項２】
前記遮熱体は、切頭端部が開口している切頭角錐または円錐によって画定されている、
請求項１に記載の暖房装置。
【請求項３】
前記切頭端部は、前記テーブルトップの下面に隣接してその下に配置され、間隙によって分離されている、
請求項２に記載の暖房装置。
【請求項４】
前記遮熱体は、直円筒管である、
請求項１に記載の暖房装置。
【請求項５】
前記基部部材は、前記遮熱体内にある中央空隙と流体連通する空気流ポートを含む、
請求項１から４のいずれか一項に記載の暖房装置。
【請求項６】
垂直に延在するブレードが、前記暖房装置の周りに取り付けられ、前記基部部材と前記上部筐体またはテーブルトップとの間に延在する、
請求項１から５のいずれか一項に記載の暖房装置。
【請求項７】
前記ブレードは、それぞれ半径方向に延在する、
請求項６に記載の暖房装置。
【請求項８】
前記テーブルトップは、エアスペースによって分離された上側強化ガラスシートおよび下側強化ガラスシートによって画定されている、
請求項１から７のいずれか一項に記載の暖房装置。
【請求項９】
前記上側強化ガラスシートは、前記上部筐体に連結された環状鋼ディスク上に据え付けられている、
請求項８に記載の暖房装置。
【請求項１０】
前記上部筐体の内壁は、断熱材で遮蔽されている、
請求項８または９に記載の暖房装置。
【請求項１１】
ガラスディスクが、前記テーブルトップの下の前記上部筐体の遠位端に据え付けられている、
請求項１から１０のいずれか一項に記載の暖房装置。
【請求項１２】
前記基部部材と前記上部筐体との間の前記暖房装置の支持部の内側の中央空隙が、前記ブレードの間から見える、
請求項７に記載の暖房装置。
【請求項１３】
フットレストが、前記基部部材の周囲に設けられている、
請求項１から１２のいずれか一項に記載の暖房装置。
【請求項１４】
前記遮熱体の前記遠位端と前記上部筐体の内壁との間には、環状の間隙が画定されている、
請求項１から１３のいずれか一項に記載の暖房装置。
【請求項１５】
前記遮熱体の前記遠位端は、１以上の弾性部材を用いて前記上部筐体に取り付けられている、
請求項１から１４のいずれか一項に記載の暖房装置。
【請求項１６】
一次空気が、前記基部部材内に配置された空気流ポートを通って流入し、二次空気は、前記遮熱体の近位部の下に位置する間隙を通って流入する、
請求項１から１５のいずれか一項に記載の暖房装置。
【手続補正２】
【補正対象書類名】明細書
【補正対象項目名】００５３
【補正方法】変更
【補正の内容】
【００５３】
図２を参照すると、遮熱体またはバッフル１００は装置１０内にあり、基部部材７０上またはその近傍に近位端を有する。遮熱体１００は、加熱された空気および排気ガスを、上部筐体５０に向けて、上方に方向づけ、また横方向の風／微風によって炎が吹きとばされるのを防ぐ遮蔽物を提供する。そういうものであるから、遮熱体は、利用者が装置１０によって火傷を負う可能性を排除するか、または少なくとも著しく低減させる。
【国際調査報告】
2021528621.tif 000009
2021528621.tif 000010
2021528621.tif 000011